(57)【要約】【課題】利用者がボタンを押す等の操作を行うことなく電子装置を操作するコマンドを送信することができ、なおかつ、ジェスチャーの検出誤りによる誤操作を防ぐことができる操作装置、電子装置、及び電子装置システムを提供すること。【解決手段】利用者が操作装置２に対してジェスチャー操作を行うと、第１制御部６はジェスチャーを検出し、ジェスチャーに対応するコマンド内容を示す音声信号を音声出力部７に出力する。利用者が操作装置２をリーダライタユニット２１の上に近づけると、操作装置２はジェスチャーガイドデータを近距離無線通信を用いて電子装置３に送信する。電子装置３はコマンドを受信し、受信したコマンドを実行する。【選択図】図１
2014116768.tif 000002
【特許請求の範囲】
【請求項１】
自身の動作を検出して動作信号を出力する動作検出部と、
入力された音声信号を音声に変換して出力する音声出力部と、
電子装置と無線通信を行い、前記電子装置と通信可能であることを検出すると通信可能通知信号を出力する第１近距離無線通信部と、
前記動作信号からジェスチャーの検出、及び音声信号の前記音声出力部への出力を行う第１制御部とを備え、
前記第１制御部は、前記ジェスチャーを検出した際に、前記ジェスチャーに対応するコマンドの内容を示す音声信号を前記音声出力部に出力し、
さらに前記第１制御部は、前記第１近距離無線通信部から通信可能通知信号を受信していない状態から受信している状態に変化した際に、前記ジェスチャーに対応する前記コマンドを前記第１近距離無線通信部を介して前記電子装置に送信することを特徴とする操作装置。
【請求項２】
ジェスチャーガイドデータを記憶する第１記憶部を備え、
前記第１制御部は、前記第１近距離無線通信部から通信可能通知信号を受信していない状態から受信している状態に変化した際に、第１記憶部から前記ジェスチャーガイドデータを読み出して前記第１近距離無線通信部に出力し、
前記第１近距離無線通信部は、前記ジェスチャーガイドデータを前記電子装置に送信することを特徴とする請求項１に記載の操作装置。
【請求項３】
操作装置と通信を行い、前記操作装置と通信可能であることを検出すると通信可能通知信号を出力する第２近距離無線通信部と、
ジェスチャーガイドデータを記憶する第２記憶部と、
前記ジェスチャーガイドデータをジェスチャーガイド画像に変換する第２制御部と、
前記ジェスチャーガイド画像を表示する表示部とを備え、
前記第２制御部は、前記第２近距離無線通信部から前記通信可能通知信号を受信している状態から受信していない状態に変化した際に前記ジェスチャーガイド画像を表示部に出力し、
前記表示部は前記ジェスチャーガイド画像を表示することを特徴とする電子装置。
【請求項４】
前記第２制御部は、前記操作装置が送信したジェスチャーガイドデータを前記第２近距離無線通信部を介して受信し、前記第２記憶部に記録することを特徴とする請求項３に記載の電子装置。
【請求項５】
自身の動作を検出して動作信号を出力する動作検出部と、
入力された音声信号を音声に変換して出力する音声出力部と、
電子装置と無線通信を行い、前記電子装置と通信可能であることを検出すると通信可能通知信号を出力する第１近距離無線通信部と、
前記動作信号からジェスチャーの検出、及び音声信号の前記音声出力部への出力を行う第１制御部と、
ジェスチャーガイドデータを記憶する第１記憶部とを備えた操作装置と、
前記操作装置と通信を行い、前記操作装置と通信可能であることを検出すると通信可能通知信号を出力する第２近距離無線通信部と、
前記ジェスチャーガイドデータを記憶する第２記憶部と、
前記ジェスチャーガイドデータをジェスチャーガイド画像に変換する第２制御部と、
前記ジェスチャーガイド画像を表示する表示部とを備えた前記電子装置とを備え、
前記第１制御部は、前記第１近距離無線通信部から通信可能通知信号を受信していない状態から受信している状態に変化した際に、第１記憶部から前記ジェスチャーガイドデー
タを読み出して前記第１近距離無線通信部に出力し、
前記第１近距離無線通信部は、前記ジェスチャーガイドデータを前記電子装置に送信し、
前記第２制御部は、前記操作装置が送信し、前記第２近距離無線通信部を介して受信したジェスチャーガイドデータを前記第２記憶部に記録し、
前記第２制御部は、前記第２近距離無線通信部から前記通信可能通知信号を受信している状態から受信していない状態に変化した際に前記ジェスチャーガイド画像を表示部に出力し、
前記表示部は前記ジェスチャーガイド画像を表示し、
前記第１制御部は、前記ジェスチャーを検出した際に、前記ジェスチャーに対応するコマンドの内容を示す音声信号を前記音声出力部に出力し、
前記音声出力部は前記コマンドの内容を示す音声を出力し、
さらに前記第１制御部は、前記近距離無線通信部から通信可能通知信号を受信していない状態から受信している状態に変化した際に、前記ジェスチャーに対応する前記コマンドを前記第１近距離無線通信部に出力し、
前記第１近距離無線通信部は前記コマンドを前記電子装置に送信し、
前記第２制御部は、前記操作装置が送信した前記コマンドを前記第２近距離無線通信部を介して受信し、前記コマンドを実行することを特徴とする電子装置システム。
【発明の詳細な説明】
【技術分野】
【０００１】
本発明は、電子装置の操作を行う操作装置、操作装置によって操作される電子装置、及び操作装置と電子装置からなる電子装置システムに関するものである。
【背景技術】
【０００２】
遠隔操作を行う操作装置と、操作装置により遠隔操作される電子装置からなる従来の電子装置システムとして、操作装置がジャイロセンサとジェスチャー判定手段を備え、利用者が操作装置を持って本体を回す等のジェスチャーを行った際にジェスチャーの種類を検出し、ジェスチャーに対応付けられたコマンドを電子装置に無線で送信するものが知られている。
【０００３】
また、利用者のジェスチャー操作を補助するために、操作装置がジャイロセンサによって自装置本体の姿勢が変化したことを検出した際に、遠隔操作される電子装置が、ジェスチャーのコマンド内容をディスプレイに表示するものが知られている（例えば特許文献１参照）。
【先行技術文献】
【特許文献】
【０００４】
【特許文献１】特開２０１１−２５３４９３号公報
【発明の概要】
【発明が解決しようとする課題】
【０００５】
しかしながら、上記従来技術における問題点として、操作装置はジェスチャーの判定後に、利用者への確認を行うことなくコマンドを送信するため、操作装置が利用者の意図と異なるジェスチャーとして検出した場合には、意図しないコマンドが操作装置から送信されるという問題があった。
【０００６】
また、この動作の回避策としては、操作装置または電子装置が、検出されたジェスチャーのコマンド内容の表示や音声出力を行い、利用者が操作装置のボタンを押下した際にコマンドを送信することが挙げられるが、その場合には、利用者がボタン押下のような操作行う必要があり、利用者の操作回数が増加するという問題がある。
【０００７】
また上記従来技術におけるさらなる問題点として、操作装置はジャイロセンサによって自装置本体の姿勢が変化したことを検出した際に、ジェスチャーのコマンド内容を送信するため、ジェスチャーのコマンド内容を表示するためには、利用者は操作装置を手で持ち、その姿勢を変化させるという操作が必要になるという問題があった。
【０００８】
本発明は、従来の問題を解決するためになされたもので、利用者がボタンを押す等の操作を行うことなく電子装置を操作するコマンドを送信することができ、なおかつ、ジェスチャーの検出誤りによる誤操作を防ぐことができる操作装置、電子装置、及び電子装置システムを提供することを目的とする。
【０００９】
また本発明はさらに、利用者がボタンを押す等の操作を行うことなく、ジェスチャーのコマンド内容を利用者に示すジェスチャーガイドを見ることができる操作装置、電子装置、及び電子装置システムを提供することを目的とする。
【課題を解決するための手段】
【００１０】
上記目的を達成するために本発明の操作装置は、自身の動作を検出して動作信号を出力する動作検出部と、入力された音声信号を音声に変換して出力する音声出力部と、電子装置と無線通信を行い、電子装置と通信可能であることを検出すると通信可能通知信号を出力する近距離無線通信部と、動作信号からジェスチャーの検出、及び音声信号の音声出力部への出力を行う制御部とを備え、制御部は、ジェスチャーを検出した際に、ジェスチャーに対応するコマンドの内容を示す音声信号を音声出力部に出力し、さらに制御部は、近距離無線通信部から通信可能通知信号を受信した際に、ジェスチャーに対応するコマンドを近距離無線通信部を介して電子装置に送信する。
【００１１】
また、上記目的を達成するために本発明の電子装置は、操作装置と通信を行い、操作装置と通信可能であることを検出すると通信可能通知信号を出力する近距離無線通信部と、ジェスチャーガイドデータを記憶する記憶部と、ジェスチャーガイドデータをジェスチャーガイド画像に変換する制御部と、ジェスチャーガイド画像を表示する表示部とを備え、制御部は、近距離無線通信部から通信可能通知信号を受信している状態から受信していない状態に変化した際にジェスチャーガイド画像を表示部に出力し、表示部はジェスチャーガイド画像を表示する。
【発明の効果】
【００１２】
本発明によれば、利用者がジャスチャーを行った後に操作装置が検出したジェスチャーの内容を音声で出力し、その後利用者が操作装置をリーダライタユニットに近づけた際に操作装置がコマンドを送信するようにしたので、利用者はボタンを押す等の操作を行うことなく電子装置を操作するコマンドを送信することができ、なおかつ、ジェスチャーの検出誤りによる誤操作を防ぐことができる操作装置を提供することができる。
【００１３】
またさらに、本実施の形態によれば、利用者が操作装置を電子装置の近距離無線通信リーダライタユニットから離した際に電子装置の表示部にジェスチャーガイド画像を表示するようにしたので、利用者はボタンを押す等の操作を行うことなく、ジェスチャーガイドを見ることができる電子装置を提供することができる。
【図面の簡単な説明】
【００１４】
【図１】本発明の実施の形態における電子装置システム１の構成を示すブロック図
【図２】本発明の実施の形態におけるジェスチャーガイドデータのデータ構成を説明するための説明図
【図３】本発明の実施の形態における第２表示部３４に表示されるジェスチャーガイド画像の外観図
【図４】本発明の実施の形態における第１制御部６の動作フロー図
【図５】本発明の実施の形態におけるジェスチャー・コマンド対応情報のデータ構成を説明するための説明図
【図６】本発明の実施の形態における第２制御部３３の動作フロー図
【図７】本発明の実施の形態における利用者が操作装置２を操作した場合の第１制御部６と第２制御部３３の動作フロー図
【発明を実施するための形態】
【００１５】
以下、本発明の実施の形態における電子装置システム１について図面を参照しながら説明する。
【００１６】
図１は本発明の実施の形態における電子装置システム１の構成を示すブロック図である。電子装置システム１は、操作装置２と電子装置３を備える。
【００１７】
操作装置２はスマートフォンなどの携帯型の装置であり、加速度検出部４、第１記憶部
５、第１制御部６、音声出力部７、第１表示部８、第１近距離通信制御部９、第１変復調部１０、第１アンテナ部１１を備える。
【００１８】
加速度検出部４は、自らの動きを検出して３軸方向の加速度値を出力する。
【００１９】
第１記憶部５は、ジェスチャーとコマンドの対応関係を示したジェスチャー・コマンド対応情報と、ジェスチャーとコマンドの対応関係を利用者に示すための表示用データであるジェスチャーガイドデータと、コマンドの意味を示す音声を格納したコマンド音声ファイルと、第１制御部６がジェスチャーから導出したコマンドを記憶する。
【００２０】
図２は、ジェスチャーガイドデータのデータ構成を説明するための説明図である。ジェスチャーガイドデータは、コマンド画像とコマンドテキストからなる。コマンド画像はビットマップ等の画像データであり、操作装置２の動かし方を矢印等で示している。コマンドテキストはテキストデータであり、コマンドの内容を示している。
【００２１】
第１制御部６は、加速度検出部４が出力した加速度値と、第１記憶部５に記録されているジェスチャー・コマンド対応情報からジェスチャーを導出する。さらに、第１記憶部５に記録されているコマンド音声ファイルを音声信号に変換して音声出力部７に出力する。
【００２２】
音声出力部７は、音声信号を音声に変換して出力する。第１表示部８は、ディスプレイである。
【００２３】
第１近距離通信制御部９は、ＮＦＣ（Ｎｅａｒ  Ｆｉｅｌｄ  Ｃｏｍｍｕｎｉｃａｔｉｏｎ）と呼ばれる近距離無線通信でデータ通信を行うためのデータの入出力や通信制御を行う。なお、近距離無線通信の方式はＦｅｌｉｃａ（登録商標）などの他の方式であってもよい。
【００２４】
第１変復調部１０は、送信データのアナログ信号への変換、及び受信したアナログ信号の受信データへの変換を行う。第１アンテナ部１１は、無線信号の送受信を行う。
【００２５】
第１近距離通信制御部９は、第１変復調部１０と第１アンテナ部１１を介して、電子装置３から送信されてくるポーリングコマンドの検出を周期的に繰り返す。
【００２６】
第１近距離通信制御部９がポーリングコマンドを検出した場合は、近距離無線通信が通信可の状態であると判定し、第１制御部６に通信可能通知信号を送信し、第１変復調部１０と第１アンテナ部１１を介して電子装置３に返信コマンドを送信する。
【００２７】
逆に第１近距離通信制御部９がポーリングコマンドを検出しなかった場合は、近距離無線通信が通信不可の状態であると判定し、通信可能通知信号と返信コマンドの送信を停止する。
【００２８】
電子装置３はインターネットに接続して取得した情報を表示する情報端末であり、リーダライタユニット２１と情報処理ユニット２２を備える。
【００２９】
リーダライタユニット２１は、第２アンテナ部２３、第２変復調部２４、第２近距離通信制御部２５、第１ＵＳＢ通信部２６を備える。第２アンテナ部２３は、無線信号の送受信を行う。
【００３０】
第２変復調部２４は、送信データのアナログ信号への変換、及び受信したアナログ信号の受信データへの変換を行う。
【００３１】
第２近距離通信制御部２５は、ＮＦＣでデータ通信を行うためのデータの入出力や通信制御を行う。
【００３２】
第１ＵＳＢ通信部２６は、ＵＳＢ通信を行う通信モジュールであり、情報処理ユニット２２とデータの送受信を行う。なお、ＵＳＢは一例であり、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）やＩＥＥＥ１３９４（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  １３９４）等の通信方式であってもよく、Ｂｌｕｅｔｏｏｔｈ（登録商標）のような無線通信であってもよい。
【００３３】
情報処理ユニット２２は、第２ＵＳＢ通信部３１、第２記憶部３２、第２制御部３３、第２表示部３４、携帯電話通信部３５、を備える。
【００３４】
第２ＵＳＢ通信部３１は、ＵＳＢ通信を行う通信モジュールであり、リーダライタユニット２１とデータの送受信を行う。
【００３５】
第２記憶部３２は、操作装置２が送信したジェスチャーガイドデータを記憶する。第２制御部３３は、ジェスチャーガイドデータをジェスチャーガイド画像に変換する。第２表示部３４は、ジェスチャーガイド画像を表示するディスプレイである。
【００３６】
図３は、第２表示部３４に表示されたジェスチャーガイド画像の外観図であり、ジェスチャーガイドデータのコマンド画像とコマンドテキストを一覧表示している。
【００３７】
なお、コマンド画像とコマンドテキストのレイアウトは一例であり、画面の右端に一列で表示する等、これ以外のレイアウトで表示してもよい。
【００３８】
携帯電話通信部３５は、携帯電話網を介してインターネットに接続する通信手段である。
【００３９】
第２近距離通信制御部２５は、第２変復調部２４と第２アンテナ部２３を介して操作装置２に対して周期的にポーリングコマンドの送信と、操作装置２から送信されてくる返信コマンドの検出を繰り返す。
【００４０】
第２近距離通信制御部２５が返信コマンドを検出した場合は、近距離無線通信が通信可の状態であると判定し、第１ＵＳＢ通信部２６と第２ＵＳＢ通信部３１を介して第２制御部３３に通信可能通知信号を送信する。
【００４１】
逆に第２近距離通信制御部２５が返信コマンドを検出しなかった場合は、近距離無線通信が通信不可の状態であると判定し、通信可能通知信号の送信を停止する。
【００４２】
なお、電子装置３の第２近距離通信制御部２５がポーリングコマンドを送信し、操作装置２の第１近距離通信制御部９が返信コマンドを送信するようにしたが、逆に操作装置２の第１近距離通信制御部９がポーリングコマンドを送信し、電子装置３の第２近距離通信制御部２５が返信コマンドを送信するようにしてもよい。
【００４３】
また、操作装置２と電子装置３の返信コマンドを送信する側の近距離無線通信手段は無線タグで実現してもよい。ここで近距離無線通信手段とは、操作装置２では第１近距離通信制御部９、第１変復調部１０及び第１アンテナ部１１のことを指し、電子装置３では第２アンテナ部２３、第２変復調部２４、第２近距離通信制御部２５、第１ＵＳＢ通信部２
６及び第２ＵＳＢ通信部３１のことを指す。
【００４４】
以上のように構成された電子装置システム１について、以下にその処理動作を説明する。
【００４５】
まず、操作装置２の動作を説明する。図４は、操作装置２の第１制御部６の動作フロー図である。まず第１制御部６は、加速度検出部４が出力した３軸方向の加速度値から、ジェスチャーの検出を行う（ステップＳ１０１）。ジェスチャーの検出はジェスチャー・コマンド対応情報に基づいて行う。
【００４６】
図５はジェスチャー・コマンド対応情報のデータ構成を説明するための説明図である。ジェスチャー・コマンド対応情報には、コマンドＩＤ、ジェスチャー情報、コマンドデータ、コマンド音声ＩＤからなる。
【００４７】
コマンドＩＤ情報は、操作装置２が電子装置３に送信する複数あるコマンドを識別するための識別子である。
【００４８】
ジェスチャー情報は、左を表す「Ｌ」、右を表す「Ｒ」、上を表す「Ｕ」、下を表す「Ｄ」の組み合わせで記述される。例えば操作装置２を左右に振ることを２回繰り返すジェスチャーは「ＬＲＬＲ」と記述される。なお、ジェスチャーの動きはこれに限定されるものではなく、斜め方向の動きや回す動き等があってもよい。
【００４９】
コマンドデータ情報は、操作装置２が電子装置３に送信するコマンドである数値列である。
【００５０】
コマンド音声ＩＤ情報は、コマンドの意味を示す音声を格納したコマンド音声ファイルの識別子である。音声は音声出力部７から出力される。
【００５１】
ステップＳ１０１において第１制御部６は、加速度検出部４が出力した３軸方向の加速度値から、操作装置２の上下左右の動きを検出し、その順序とジェスチャー情報を比較して一致したジェスチャーのコマンドＩＤを検出結果とする。コマンドＩＤが検出されなかった場合は、ステップＳ１０５に進む。
【００５２】
コマンドＩＤが検出された場合は、第１制御部６はコマンドＩＤに対応するコマンドデータをジェスチャー・コマンド対応情報から読み出し（ステップＳ１０２）、コマンドデータを第１記憶部５に記録する（ステップＳ１０３）。
【００５３】
第１制御部６はさらにコマンドＩＤに対応するコマンド音声ＩＤ情報を読み出し、コマンド音声ＩＤ情報に対応するコマンド音声ファイルを第１記憶部５から読み出して音声信号に変換し、音声出力部７に出力する（ステップＳ１０４）。
【００５４】
次に第１制御部６は、第１近距離通信制御部９が送信する通信可能通知信号により、操作装置２と電子装置３が近距離無線通信不可の状態から通信可の状態に変化したか否かを判定する（ステップＳ１０５）。
【００５５】
即ち、予め定めた時間Ｔ１ミリ秒以上連続して通信可能通知信号を受信しなかった後、予め定めた時間Ｔ２ミリ秒以上連続して通信可能通知信号を受信した場合に、操作装置２と電子装置３が近距離無線通信不可の状態から通信可の状態に変化したと判定する。
【００５６】
ステップＳ１０５で、近距離無線通信不可の状態から通信可の状態に変化していないと
第１制御部６が判定した場合は、ステップＳ１０１に戻る。
【００５７】
ステップＳ１０５で、近距離無線通信不可の状態から通信可の状態に変化したと第１制御部６が判定した場合は、ジェスチャーガイドデータを近距離無線通信を用いて電子装置３に送信する（ステップＳ１０６）。
【００５８】
次に第１制御部６は、第１記憶部５に記録されているコマンドデータの有無を調べ（ステップＳ１０７）、コマンドデータがない場合はステップＳ１０１に戻る。
【００５９】
コマンドデータが存在した場合は、コマンドデータを近距離無線通信を用いて電子装置３に送信し（ステップＳ１０８）、第１記憶部５に記録されているコマンドデータを第１記憶部５から消去する（ステップＳ１０９）。
【００６０】
次に第１制御部６は、処理を終了するか否かを判定し（ステップＳ１１０）、終了する場合は処理を終了し、終了しない場合はステップＳ１０１に戻る。
【００６１】
次に、電子装置３の動作を説明する。図６は、電子装置３の第２制御部３３の動作フロー図である。
【００６２】
まず第２制御部３３は、操作装置２が送信したジェスチャーガイドデータを受信したか否かを判定し（ステップＳ１２１）、受信した場合は、受信したジェスチャーガイドデータを第２記憶部３２に記録し（ステップＳ１２２）、受信しなかった場合はステップＳ１２３に進む。
【００６３】
次に第２制御部３３は、第２近距離通信制御部２５が送信し、第２ＵＳＢ通信部３１を介して受信した通信可能通知信号により、操作装置２と電子装置３が近距離無線通信可の状態から通信不可の状態に変化したか否かを判定する（ステップＳ１２３）。
【００６４】
即ち、予め定めた時間Ｔ３ミリ秒以上連続して通信可能通知信号を受信した後、予め定めた時間Ｔ４ミリ秒以上連続して通信可能通知信号を受信しなかった場合に、操作装置２と電子装置３が近距離無線通信可の状態から通信不可の状態に変化したと判定する。
【００６５】
ステップＳ１２３で、操作装置２と電子装置３が近距離無線通信可の状態から通信不可の状態に変化していないと第２制御部３３が判定した場合は、ステップＳ１２６に進む。
【００６６】
ステップＳ１２３で、操作装置２と電子装置３が近距離無線通信可の状態から通信不可の状態に変化したと第２制御部３３が判定した場合は、第２記憶部３２にジェスチャーガイドデータが記録されているか否かを判定し（ステップＳ１２４）、記録されている場合は、ジェスチャーガイドデータに基いてジェスチャーガイド画像を第２表示部３４に表示する（ステップＳ１２５）。
【００６７】
ステップＳ１２４で第２記憶部３２にジェスチャーガイドデータが記録されていない場合は、ステップＳ１２６に進む。
【００６８】
次に第２制御部３３は、操作装置２から送信されたコマンドデータを受信したか否かを検出し（ステップＳ１２６）、受信した場合は受信したコマンドデータに基づき処理を実行し（ステップＳ１２７）、受信していない場合はステップＳ１２１に戻る。
【００６９】
次に第２制御部３３は、処理を終了するか否かを判定し（ステップＳ１２８）、終了する場合は処理を終了し、終了しない場合はステップＳ１２１に戻る。
【００７０】
次に利用者が操作装置２に対して一連の操作を行った場合の、操作装置２と電子装置３の動作を説明する。
【００７１】
図７は、利用者が操作装置２に対して行った一連の操作、及び、操作装置２の第１制御部６と電子装置３の第２制御部３３の動作を時系列で示したフロー図である。ここで、操作装置２の第１制御部６は図４、電子装置３の第２制御部３３は図６のフロー図の通りに動作するものとし、操作装置２のステップ番号は図４と共通、また電子装置３のステップ番号は図６と共通である。
【００７２】
初めに、利用者が操作装置２を電子装置３のリーダライタユニット２１に近づけると（ステップＳ１３１）、操作装置２は近距離無線通信が可能な状態となり（ステップＳ１０５）、ジェスチャーガイドデータを近距離無線通信を用いて電子装置３に送信する（ステップＳ１０６）。
【００７３】
電子装置３はジェスチャーガイドデータを受信すると（ステップＳ１２１）、ジェスチャーガイドデータを第２記憶部３２に記録する（ステップＳ１２２）。
【００７４】
次に、利用者が操作装置２を電子装置３のリーダライタユニット２１から離すと（ステップＳ１３２）、電子装置３は操作装置２がリーダライタユニット２１に接触している状態から離れた状態に変化したと判定し（ステップＳ１２３）、第２記憶部３２に記録したジェスチャーガイドデータに基いてジェスチャーガイド画像を第２表示部３４に表示する（ステップＳ１２５）。
【００７５】
ジェスチャーガイド画像が表示された後、利用者が操作装置２に対してジェスチャー操作を行うと（ステップＳ１３３）、操作装置２はジェスチャーを検出し（ステップＳ１０１）、ジェスチャーに対応するコマンドデータを読み出し（ステップＳ１０２）、コマンドデータを第１記憶部５に記録し（ステップＳ１０３）、コマンド内容を示す音声信号を音声出力部７に出力する（ステップＳ１０４）。
【００７６】
次に、利用者が操作装置２を電子装置３のリーダライタユニット２１に近づけると（ステップＳ１３４）、操作装置２は近距離無線通信が可能な状態となり（ステップＳ１０５）、ジェスチャーガイドデータを近距離無線通信を用いて電子装置３に送信する（ステップＳ１０６）。
【００７７】
電子装置３はジェスチャーガイドデータを受信すると（ステップＳ１２１）、ジェスチャーガイドデータを第２記憶部３２に記録する（ステップＳ１２２）。続いて操作装置２はコマンドを近距離無線通信を用いて電子装置３に送信し（ステップＳ１０８）、電子装置３はコマンドを受信し（ステップＳ１２６）、受信したコマンドを実行する（ステップＳ１２７）。
【００７８】
以上のように本実施の形態によれば、利用者がジャスチャーを行った後に操作装置が検出したジェスチャーの内容を音声で出力し、その後利用者が操作装置をリーダライタユニットに近づけた際に操作装置がコマンドを送信するようにしたので、利用者はボタンを押す等の操作を行うことなく電子装置を操作するコマンドを送信することができ、なおかつ、ジェスチャーの検出誤りによる誤操作を防ぐことができる操作装置を提供することができる。
【００７９】
また、本実施の形態によれば、利用者が操作装置を電子装置の近距離無線通信リーダライタユニットから離した際に電子装置の表示部にジェスチャーガイド画像を表示するよう
にしたので、利用者はボタンを押す等の操作を行うことなく、ジェスチャーガイドを見ることができる電子装置を提供することができる。
【００８０】
また、利用者は、操作装置をリーダライタユニットから離し、操作装置に対してジェスチャー操作を行い、リーダライタユニットに近づけるという行為により操作を行うことができ、さらに利用者が行ったジェスチャーの内容は音声で確認することができるため、利用者は操作中に現在注視している対象から視線を外す時間を軽減できるという効果がある。
【産業上の利用可能性】
【００８１】
本発明の操作装置、電子装置、及び電子装置システムは、リモコン等の操作用装置や、携帯電話、スマートフォン等の携帯端末装置、及び、テレビ等の家庭用装置やカーオーディオ等の車載装置として有用である。
【符号の説明】
【００８２】
１  電子装置システム
２  操作装置
３  電子装置
４  加速度検出部
５  第１記憶部
６  第１制御部
７  音声出力部
８  第１表示部
９  第１近距離通信制御部
１０  第１変復調部
１１  第１アンテナ部
２１  リーダライタユニット
２２  情報処理ユニット
２３  第２アンテナ部
２４  第２変復調部
２５  第２近距離通信制御部
２６  第１ＵＳＢ通信部
３１  第２ＵＳＢ通信部
３２  第２記憶部
３３  第２制御部
３４  第２表示部
３５  携帯電話通信部
【図１】
2014116768.tif 000003
【図２】
2014116768.tif 000004
【図３】
2014116768.tif 000005
【図４】
2014116768.tif 000006
【図５】
2014116768.tif 000007
【図６】
2014116768.tif 000008
【図７】
2014116768.tif 000009